(57)【要約】【課題】  電源オン時に原稿サイズセンサがどの位置にあるのか容易に判別できる画像形成装置を提供する。【解決手段】  搬送された原稿より画像を読み取る画像形成装置において、原稿幅サイズを検出するために駆動モータによって移動して用紙の有無を判別する可動センサと、電源投入時に前記駆動モータをロックするまで駆動させる駆動手段と、前記電源投入時の前記可動センサの位置を明確にするため、前記駆動モータのロック状態を検出する検出手段と、を具備した構成となっている。【選択図】      図３
2006062778.tif 000002
【特許請求の範囲】
【請求項１】
搬送された原稿より画像を読み取る画像読取装置を備えた画像形成装置において、
原稿幅サイズを検出するために駆動モータにより可動範囲を移動して用紙の有無を判別する可動センサと、
電源投入時に前記可動センサが前記可動範囲内の所定端の位置に来て前記駆動モータがロックするまで前記駆動モータを駆動する駆動手段と、
前記駆動モータのロック状態を検出することにより前記電源投入時の前記可動センサの位置を検出する検出手段と、を具備した事を特徴とする画像形成装置。
【請求項２】
請求項１の画像形成装置において、前記可動センサの可動範囲内の所定端の位置が、前記可動センサのホームポジション位置である事を特徴とする画像形成装置。
【請求項３】
請求項１の画像形成装置において、前記可動センサが、原稿挿入検知用のセンサとしても使用され、前記原稿が挿入されていない時は所定の位置で停止する事を特徴とする画像形成装置。
【請求項４】
請求項１の画像形成装置において、前記可動センサが、ジャム検知用のセンサとしても使用され、原稿搬送中は原稿中心部に停止する事を特徴とする画像形成装置。
【請求項５】
搬送された原稿のシートサイズを検知するシートサイズ検知装置において、
原稿幅サイズを検出するために駆動モータによって可動範囲を移動して用紙の有無を判別する可動センサと、
前記駆動モータのロック状態を検出して前記電源投入時の前記可動センサの位置を検出するために、電源投入時に前記可動センサが前記可動範囲内の所定端の位置に来て前記駆動モータがロックするまで前記駆動モータを駆動する駆動手段と、を具備した事を特徴とするシートサイズ検知装置。
【発明の詳細な説明】
【技術分野】
【０００１】
この発明は、搬送された原稿より画像を読み取る画像形成装置に関し、特に、電源オン時に原稿サイズ検出センサがどの位置にあるのか容易に判別できる画像形成装置に関するものである。
【背景技術】
【０００２】
従来、原稿搬送型画像形成装置においては、原稿のサイズを検出する為のセンサの構成を簡略化するため、１つのセンサを稼動するようにし、センサと原稿の間のスリットをカウントする事によりサイズを検出するシステムとなっていた。
なお、先行技術として、特開平１１−３５１６１号公報には、シートの有無を検出する反射型のシート有無センサを、積載され得る最大シートサイズ幅以上の領域にわたって備えられたスリット内を移動可能に構成し、シート有無センサの情報に基づいてシートサイズ検知装置によってシートサイズを検知することが開示されている。
【特許文献１】特開平１１−３５１６１号公報
【発明の開示】
【発明が解決しようとする課題】
【０００３】
しかしながら、従来のセンサと原稿の間のスリットをカウントする事によりサイズを検出するシステムでは、カウントによる判別の為、サイズ検出動作の前に必ずホームポジションとなる位置にセンサが無ければならず、予期しないタイミングで電源を落とされた時など、次回電源オン時にセンサがどの位置にあるのか本体側で判別できない欠点があった。
また、上記画像形成装置においては、原稿読み取り部にはサイズ検知のセンサのみならず原稿ジャムを検出するセンサや原稿が挿入された事を検出するセンサなどがあり、システムの簡略化の効果が薄かった。
本発明は、上記従来の問題点を解決するためになされたもので、その目的は、電源オン時に原稿サイズセンサがどの位置にあるのか容易に判別できる画像形成装置を提供することである。
【課題を解決するための手段】
【０００４】
上述の目的を達成するために、請求項１記載の発明は、搬送された原稿より画像を読み取る画像読取装置を備えた画像形成装置において、原稿幅サイズを検出するために駆動モータにより可動範囲を移動して用紙の有無を判別する可動センサと、電源投入時に前記可動センサが前記可動範囲内の所定端の位置に来て前記駆動モータがロックするまで前記駆動モータを駆動する駆動手段と、前記駆動モータのロック状態を検出することにより前記電源投入時の前記可動センサの位置を検出する検出手段と、を具備した事を特徴とする。
また、請求項２記載の発明は、前記可動センサの可動範囲内の所定端の位置が、前記可動センサのホームポジション位置である事を特徴とする。
また、請求項３記載の発明は、請求項１の画像形成装置において、前記可動センサが、原稿挿入検知用のセンサとしても使用され、前記原稿が挿入されていない時は所定の位置で停止する事を特徴とする。
また、請求項４記載の発明は、請求項１の画像形成装置において、前記可動センサが、ジャム検知用のセンサとしても使用され、原稿搬送中は原稿中心部に停止する事を特徴とする。
また、請求項５記載の発明は、搬送された原稿のシートサイズを検知するシートサイズ検知装置において、原稿幅サイズを検出するために駆動モータによって可動範囲を移動して用紙の有無を判別する可動センサと、前記駆動モータのロック状態を検出して前記電源投入時の前記可動センサの位置を検出するために、電源投入時に前記可動センサが前記可動範囲内の所定端の位置に来て前記駆動モータがロックするまで前記駆動モータを駆動する駆動手段と、を具備した事を特徴とする。
【発明の効果】
【０００５】
本発明によれば、電源オン時の位置を明確にする為、可動範囲ギリギリの所定端までセンサを動かすシーケンスを入れ、ロック時に比較回路にてモータがロック状態である事を検知することによりセンサのホームポジションを検知する。これより、ホームポジションセンサ等のメカ的機構を設けることなくセンサ位置が本体側で特定できる。
また、本発明によれば、前記可動センサが原稿挿入検出センサを兼ねる事で、ユニット内のシステムの簡略化が図れる。
また、本発明によれば、前記可動センサが原稿ジャム検出センサを兼ねる事で、ユニット内のシステムの簡略化が図れる。
【発明を実施するための最良の形態】
【０００６】
以下に添付の図を参照してこの発明の実施形態を詳細に説明する。
図１は、本発明による原稿搬送型デジタル複写機の一実施形態の概略ブロック構成図であり、図２は、図１に示した原稿搬送型デジタル複写機の内部構成を示す側面図である。
まず、図１に示すように、このデジタル複写機（画像形成装置）は、原稿を読み取る読取手段としての原稿読取部１００、読み取られた原稿情報を記憶する記憶手段としての画像情報記憶部３００、記憶された情報を転写紙に複写するための書込部５００、また一連のプロセスを実行制御するシステム制御装置３０２、このシステム制御装置にキー入力を行う操作手投としての操作部４００等で構成されている。
次に、図１及び図２を参照して原稿読取部１００について説明する。
まず、オペレータが原稿を挿入口から挿入すると、原稿は、図２に示すローラ１の回転に応じて、密着センサ２と白色ローラ３との間を搬送され、搬送中の原稿には、密着センサ２に取り付いているＬＥＤにより光が照射され、その反射光は密着センサ２に結像され、原稿画像情報が読み取られる。
図１に示す密着センサ２上に結像した原稿画像は電気信号に変換され、このアナログ信号は、画像増幅回路１０２で増幅される。Ａ／Ｄ変換回路１０３は、画像増幅回路１０２で増幅されたアナログ画像信号を画素毎の多値デジタル画像信号に変換する。変換されたデジタル画像信号は、同期制御回路１０６から出力されるクロックに同期して出力され、シェーディング補正回路１０４により、光量ムラ、コンタクトガラスの汚れ、センサの感度ムラ等による歪みが補正される。この補正されたデジタル画像情報は、画像処理回路１０５で画像処理されてデジタル記録画像情報に変換された後、画像メモリ部３０１に書き込まれ、書込み処理が行なわれる。
【０００７】
次に、図３、図４を参照して原稿読み取り時の詳細動作について説明する。
図３は、図１のデジタル複写機における原稿読み取り時の動作フローチャートであり、図４は、図１のデジタル複写機におけるシートサイズ検知装置の詳細説明図である。
まず、電源がオンされるとシステム制御装置３０２よりの制御に基づいてセンサモータ２０が駆動され、規定の方向に回転され（ステップ２０１）、それによって、可動センサ２１が規定の方向に移動される。可動センサ２１は可動範囲ギリギリの所定端まで移動された後にロックされる。この時、図５に示すように、センサモータ２０の電源３０は、制限抵抗３１を介してセンサモータ２０に接続されており、ロック時はこの電圧が降下する。ここで、センサモータ２０の電源３０は、並列に比較回路３２ヘと接続されているので、この比較回路３２を用いてデジタル複写機の本体側であるシステム制御装置３０２内のＣＰＵは、センサモータ２０がロック状態である事を検知する（ステップ２０３）。これにより、電源投入時の可動センサ２１の位置が本体側で検出できる。
すなわち、センサモータ２０がロック状態の時の可動センサ２１の位置（可動範囲ギリギリの所定端）を可動センサ２１のホームポジション位置に設定しておけば、モータがロック状態である事を検知することにより、電源投入時において、可動センサ２１のホームポジションに位置することが明確に検出できる。
これは、シートサイズ検知装置において、可動センサ２１を可動範囲ギリギリまで移動した後にロックするようにしているので、デジタル複写機の本体側でセンサ位置を明確に検出できることを意味する。
また、ロック電圧は比較回路３２内の構成で任意に変更できる。
【０００８】
次に、モータがロック状態である事が検知されると（ステップ２０３でＹＥＳ）、原稿サイズに関わらず、必ず紙が通過する場所（スリット２２）に可動センサ２１が移動され（ステップ２０５）、原稿挿入検知用センサとして原稿２３の挿入を待つ。すなわち、可動セン２１は、原稿挿入検知用のセンサとして使用され、前記原稿が挿入されていない時は所定の位置で停止される。
すなわち、可動センサ２１は、前述したように、電源投入時において自身のホームポジション位置を検出するために用いられると共に、原稿挿入検知用のセンサとしても使用される。
原稿が挿入されたら可動センサ２１によって挿入が検知され（ステップ２０７でＹＥＳ）、センサモータ２０が駆動されて挿入された原稿のサイズが検出される（ステップ２０９）。この検出動作はＣＰＵ内タイマと同期して可動センサ２１を駆動させ、スリット２２の位置での可動センサ２１の信号をサンプリングし判定する。
最後に、サイズ判定後は必ず紙が通過する場所に可動センサ２１を戻し、原稿搬送中のジャム監視用のセンサとして使用する（ステップ２１１）。すなわち、可動センサ２１が、前述したように、電源投入時において自身のホームポジション位置を検出するために用いられると共に、ジャム検知用のセンサとしても使用され、原稿搬送中は原稿中心部に停止するようになっている。
上述のように、この原稿搬送型デジタル複写機の一実施形態によれば、可動式センサにおいて、電源オン時の位置を明確にする為、可動範囲ギリギリの所定端まで可動センサ２１を動かすシーケンスを入れ、ロック時に比較回路にてセンサモータ２０がロック状態である事を検知することにより可動センサ２１のホームポジションを検知する。これより、ホームポジションセンサ等のメカ的機構を設けることなくセンサ位置が本体側で特定できる。
【図面の簡単な説明】
【０００９】
【図１】本発明による原稿搬送型デジタル複写機の一実施形態の概略ブロック構成図。
【図２】図１に示した原稿搬送型デジタル複写機の内部構成を示す側面図。
【図３】図１のデジタル複写機における原稿読み取り時の動作フローチャート。
【図４】図１のデジタル複写機におけるシートサイズ検知装置の詳細説明図。
【図５】図１のデジタル複写機におけるシートサイズ検知装置のセンサモータの電源部の回路図。
【符号の説明】
【００１０】
１  ローラ、２  密着センサ、３  白色ローラ、２０  センサモータ、２１  センサ、２２  スリット、２３  原稿、３０  電源、３１  制限抵抗、３２  比較回路、１００  原稿読取部、１０２  画像増幅回路、１０３  変換回路、１０４  シェーディング補正回路、１０５  画像処理回路、１０６  同期制御回路
【図１】
2006062778.tif 000003
【図２】
2006062778.tif 000004
【図３】
2006062778.tif 000005
【図４】
2006062778.tif 000006
【図５】
2006062778.tif 000007